(57)【要約】      （修正有）【課題】設置に必要なスペースが極めて小さい収納式タラップを提供する。【解決手段】所定長さのはしご部１と、はしご部１の幅内で取付対象物に取り付けられるヒンジ部４により、はしご部１のステップ配置面と略直交する方向に回動自在、かつ長手方向にスライド自在にはしご部１を支持する支持部材２とを備える。はしご部１の下端には、ヒンジ部４の軸と平行な軸心周りに回転可能な車輪７が設けられ、車輪７には、車輪７と接触した際に車輪７の回転を禁止するストッパ３が設けられる。【選択図】図１
0003172791.tif 000002
【実用新案登録請求の範囲】
【請求項１】
所定長さのはしご部と、
前記はしご部を、当該はしご部の長手方向にスライド可能に支持する支持部材と、
前記支持部材を、前記支持部材に支持されたはしご部とともに、取付対象物に縦回動自在に取り付けるヒンジ部と、
前記はしご部の下端に、前記はしご部の回動軸と平行な軸心周りに回転可能に設けられた車輪と、
前記車輪の回転を選択的に禁止するストッパと、
を備えたことを特徴とする収納式タラップ。
【考案の詳細な説明】
【技術分野】
【０００１】
本考案は建屋の壁面等に設置されるタラップに関し、特に直立した状態から傾斜させた状態に引き出して使用しうる収納式タラップに関するものである。
【背景技術】
【０００２】
例えば、学校の校舎やマンションの屋上には、一段高く形成されている給水施設やエレベータ等の管理施設があり、これらの施設には上に登って点検するためのタラップが付設されている。
【０００３】
このタラップは、一般に施設の壁面に設置された複数のコの字状の鉄棒からなり、これらの鉄棒は水平に突出した状態で上下に並べられ、上記壁面に埋め込まれている。この従来のタラップは、数カ月か１年という長いスパンでしか使用されないことから、通行などの邪魔になる等の理由により、通常は人の背丈より低い部分はカットされており、使用時には脚立等を用いる必要がある上、上記鉄棒が垂直に段を形成するために、昇り降りには必ず腕の支えを必要とする等の不便さを有している。
【０００４】
この対策として、本願考案者は、後掲の特許文献１に、タラップのはしご部を長手方向にスライド自在、かつ当該はしご部の踏み棒と略直角の方向に回動可能に支持する支持部材を備えた収納式タラップを提案している。
【特許文献１】特開２０００−１４５３４０号公報
【考案の開示】
【考案が解決しようとする課題】
【０００５】
ところで、上記従来の収納式タラップでは、支持部材は、はしご部の短手方向の外側に突出したヒンジ部を介して取付対象物に取り付けられている。この場合、取付対象物の取付位置には、はしご部の短手方向の幅に両側に突出したヒンジ部の幅を加えた幅がなければタラップを設置することができない。
【０００６】
本考案は上記従来の事情を鑑みて提案されたものであって、設置に必要なスペースが極めて小さい収納式タラップを提供することを目的としている。
【課題を解決するための手段】
【０００７】
本考案は、上記目的を達成するために以下の手段を採用している。すなわち、本考案に係る収納式タラップは、所定長さのはしご部と、前記はしご部を、当該はしご部の長手方向にスライド可能に支持する支持部材と、前記支持部材を、前記支持部材に支持されたはしご部とともに、取付対象物に縦回動自在に取り付けるヒンジ部と、前記はしご部の下端に、前記はしご部の回動軸と平行な軸心周りに回転可能に設けられた車輪と、前記車輪の回転を選択的に禁止するストッパとを備える。
【０００８】
本構成によれば、取付対象物に少なくともはしご部の短手方向の幅に対応するスペースがあれば収納式タラップを設置することができる。
【考案の効果】
【０００９】
本考案の収納式タラップによれば、極めて小さいスペースに収納式タラップを設置することができる。また、はしご部が支持部材により取付位置に対し回動可能かつスライド自在であることから、はしご部の下部を建物等から離すように引き出して傾斜させた状態で使用することが可能である。このため、手を離した状態であっても、安全にタラップを昇降することができる。さらに、はしご部は地面から立てかけられることから、従来のような脚立も不要である。
【００１０】
また、使用後は、はしご部を直立した状態にして上方にスライドさせて所要高さまで移動させて保持することができるため、邪魔にならない高さにコンパクトに収納することができる。
【図面の簡単な説明】
【００１１】
【図１】本考案の一実施形態における収納式タラップの使用時の状態を示す側面図
【図２】本考案の一実施形態における収納式タラップを直立させた状態を示す側面図
【図３】本考案の一実施形態における収納式タラップを示す正面図
【図４】本考案の一実施形態における収納式タラップの支持部材を示す側面図
【図５】本考案の一実施形態における収納式タラップの支持部材を示す平面図
【図６】本考案の一実施形態における収納式タラップを収納した状態を示す側面図
【図７】本考案の一実施形態における収納式タラップの変形例を示す正面図
【考案を実施するための形態】
【００１２】
以下、本考案の一実施形態を、図面を参照しながら詳細に説明する。図１は本考案の一実施形態における収納式タラップの使用時の状態を示す側面図である。また、図２は当該収納式タラップを直立させた状態を示す側面図である。さらに、図３は当該収納式タラップの正面図である。
【００１３】
本実施形態の収納式タラップは、上記各図に示すように、所定長さのはしご部１と、このはしご部１を長手方向にスライド自在に支持する支持部材２とを備える。当該支持部材２の一部として、支持部材２を建物等の取付位置Ｔに、はしご部１のステップ６の設置面と略直交する方向に回動自在に固定するヒンジ部４（後で詳述する）が設けられている。
【００１４】
上記はしご部１は、断面コ字状のチャンネル材からなる１対の側板５と、これら側板間に水平にわたされた複数段のステップ６とからなる。また、各側板５にはそれぞれ手すり部８が付設されている。上記各側板５の下端には、上記ヒンジ部４の軸（はしご部の回動軸）と平行な軸心周りに回転可能な車輪７が付設されている。当該車輪７には、車輪７の回転を選択的に禁止するストッパ３が設けられる。ストッパ３は、例えば、車輪側面に設けられたストッパレバーと、当該ストッパレバーの移動（ここでは、回転移動）に連動して車輪７あるいは車輪７の回転軸に対して接離する図示しない当接部材とにより構成することができる。なお、図１から図３では、ストッパレバーのみを図示している。
【００１５】
上記支持部材２は、図４および図５に示すように、上記外向きに開口する断面コ字状の側板５に対してかみ合うことが可能な形状で内向きに開口して配設された１対のコ字状の支持部材本体９を備える。当該支持部材本体９の両側壁１０には、上記はしご部側板５の一方の側壁１１を挟むように設けられた３個のローラ１２が設けられている。すなわち、支持部材本体９の一方の側壁１０に２個のローラ１２が配設されるとともに、当該２個のローラ１２間の他方側側壁１０に１個のローラ１２が配設される。上記支持部材２の取付位置Ｔ側（建物側）には、上記ヒンジ部４が形成されている。ヒンジ部４は、１対の蝶番からなり、上記支持部材２と前記取付位置Ｔとを縦回動自在に蝶着している。当該蝶番のうち、取付位置Ｔにボルト等により固定される部材は、はしご部１の短手方向の幅内に配置されている。このため、取付対象物に少なくともはしご部の短手方向の幅に対応するスペースがあれば本収納式タラップを設置することができる。
【００１６】
一方、本実施形態では、図１および図２に示すように、先端にフック１７を備えたロープ１６が取付位置Ｔ近傍に締結されている。本構成により、図６に示すように、直立状態にあるはしご部１（図２参照）を上方にスライドさせ、はしご部１の下部に設けられた環部１５にフック１７を挿入することにより、はしご部１を所定高さに保持することができる。なお、ロープ１６の長さは、はしご部１を保持する高さに応じて決定される。
【００１７】
上記構成を有する収納式タラップを使用する際には、まず、図６に示す収納状態において、環部１５からフック１７を離脱し、図２に示すようにはしご部１を地面まで下降させる。そして、図１に示すように建物等から離れる方向に昇降しやすい角度になるまではしご部１の下部を引き出し、当該位置でストッパ３により車輪７の回転を不能にする。これにより、はしご部１は当該位置に固定される。
【００１８】
本実施形態の収納式タラップでは、はしご部１が支持部材本体９とヒンジ部４とにより上記取付位置Ｔに対し回動可能かつスライド自在であることから、図１に示すように、はしご部１の下部を建物等から離すように引き出して傾斜させた状態で使用することが可能である。このため、使用者は手を離した状態であっても安全にタラップを昇降することが可能である。しかも、図１に示すように、上記はしご部１は地面から立てかけられることから、脚立等も不要である。
【００１９】
また、本実施形態の収納式タラップは、はしご部１の下部を建物等から引き出す過程においても、任意の位置ではしご部１を長手方向の上方にスライドさせることができる。このため、タラップを直立位置から使用位置まで移動させる間の地面に、例えば、配管等の障害物が存在する場合であっても、はしご部１を長手方向の上方にスライドさせることで、障害物を回避することができる。
【００２０】
一方、タラップの使用後は、ストッパ３による車輪７の固定を解除した後、はしご部１の下部を建物等に近づく方向に移動させ、はしご部１を直立した状態にする。さらに図６に示すように、上方にスライドさせて所要高さまで移動させ、上記フック１７により保持させることで、はしご部１を邪魔にならない高さにコンパクトに収納することが可能である。なお、はしご部１を上方に移動させて収納することは必須ではなく、はしご部１が直立状態となったときにストッパ３により車輪７を固定した状態で収納してもよい。
【００２１】
なお、本考案は以上で説明した実施形態に限定されるものではなく、本考案の効果を奏する範囲において、種々の変形および応用が可能である。例えば、上記では、作業者が持ち上げることによりはしご部の上方へ移動させる構成を説明したが、図７に示すように、ウインチ１３によりはしご部を移動させる構成を採用してもよい。例えば、図７では、建物側に固定された手動ウインチ１３から引き出されたロープ１６を、取付位置Ｔ近傍に形成された２個の滑車１４を介してはしご部１下部の環部１５にロープ１６を締結している。本構成では、内部に備えるラチェット機構によってロープ１６の引き出しを禁止することにより、はしご部１を任意のスライド位置で固定することができる。すなわち、図６に示したような、任意の高さではしご部１を保持することも可能である。また、ウインチ１３のラチェット機構を解除してロープ１６を引き出し自在とすることにより、はしご部１を使用位置に移動させることができる。
【産業上の利用可能性】
【００２２】
本考案は、極めて小さいスペースに収納式タラップを設置できるという効果を有し、収納式タラップとして有用である。
【符号の説明】
【００２３】
１  はしご部
２  支持部材
３  ストッパ
４  ヒンジ部
５  はしご部側板
６  ステップ
７  車輪
８  手すり部
９  支持部材本体
１０  支持部材本体側壁
１１  はしご部側板の側壁
１２  ローラ
１３  ウインチ
１４  滑車
１５  環部
１６  ロープ
【図１】
0003172791.tif 000003
【図２】
0003172791.tif 000004
【図３】
0003172791.tif 000005
【図４】
0003172791.tif 000006
【図５】
0003172791.tif 000007
【図６】
0003172791.tif 000008
【図７】
0003172791.tif 000009
【手続補正書】
【提出日】平成23年10月31日(2011.10.31)
【手続補正１】
【補正対象書類名】実用新案登録請求の範囲
【補正対象項目名】全文
【補正方法】変更
【補正の内容】
【実用新案登録請求の範囲】
【請求項１】
所定長さのはしご部と、
前記はしご部を、当該はしご部の長手方向にスライド可能に支持する支持部材と、
前記支持部材を、前記支持部材に支持されたはしご部とともに、取付対象物に縦回動自在に取り付けるヒンジ部と、
前記はしご部の下端に、前記ヒンジ部の軸と平行な軸心周りに回転可能に設けられた車輪と、
前記車輪の回転を選択的に禁止するストッパと、
を備えたことを特徴とする収納式タラップ。